(57)【要約】【課題】電線を配索し易いバスバモジュール及び電源装置を提供する。【解決手段】第２片部８７が第１片部８３に対して第１の向きＣ１に回動することにより、係止片９１が係止片抜き孔８６に進入して、係止突起９３が係止片抜き孔８６の縁部に引っ掛かっており、これにより第２片部８７の第１片部８３に対する第１の向きＣ１とは逆向きの第２の向きＣ２への回動が規制されている。【選択図】図５
2014236523.tif 000002
【特許請求の範囲】
【請求項１】
複数の電池で構成された電池集合体の各電池を互いに電気的に接続する複数のバスバと、
前記複数のバスバを介して前記各電池に電気的に接続される複数の電線と、
前記複数の電線を収容する樋状の電線配索溝部と、前記電線配索溝部に設けられた電線導出部と、を有し、前記電線導出部に沿って前記電線が引き出される電線配索体と、
を備えるバスバモジュールであって、
前記電線導出部は、前記電線配索溝部の底壁に連設された第１片部と、該第１片部の一辺にヒンジを介して回動可能に連設された第２片部と、を有し、
前記第２片部には、前記一辺側の端部に、前記第２片部と交差する方向に延びる係止片が突設され、且つ、該係止片には、該係止片の側方に突出する係止突起が突設されており、
前記第１片部には、前記係止片と前記一辺を挟んで隣接するように係合孔が形成されており、
前記第２片部が前記第１片部に対して第１の向きに回動することにより、前記係止片が前記係合孔に進入して、前記係止突起が前記係合孔の縁部に引っ掛かっており、これにより前記第２片部の前記第１片部に対する前記第１の向きとは逆向きの第２の向きへの回動が規制されている、
ことを特徴とするバスバモジュール。
【請求項２】
前記係止突起が、前記係止片の長手方向における先端側に突出するように形成されている、
ことを特徴とする請求項１に記載のバスバモジュール。
【請求項３】
前記係合孔が、前記係止片を型抜きするための係止片抜き孔である、
ことを特徴とする請求項１及び請求項２のいずれか１項に記載のバスバモジュール。
【請求項４】
複数の電池で構成された電池集合体と、前記電池集合体に重ねて取り付けられるとともに前記各電池を電気的に互いに接続するバスバモジュールと、を有する電源装置において、
前記バスバモジュールとして、請求項１〜請求項３のいずれか１項に記載のバスバモジュールを有していることを特徴とする電源装置。
【発明の詳細な説明】
【技術分野】
【０００１】
本発明は、ハイブリッド自動車や電気自動車などに用いられる電源装置、及びこの電源装置を構成するバスバモジュールに関する。
【背景技術】
【０００２】
例えば、電動モータを用いて走行する電気自動車や、エンジンと電動モータとを併用して走行するハイブリッド自動車等の各種車両には、前記電動モータの動力源として、特許文献１に示すような電源装置が搭載されている。このような電源装置は、一端に正の電極（以下正極と記す）、他端に負の電極（以下負極と記す）が設けられた複数の電池を該正極と該負極とが交互に隣り合うように配列してなる電池集合体と、この電池集合体の前記電極が設けられた面に重ねられるバスバモジュールと、で構成されている。
【０００３】
バスバモジュールは、電池集合体の各電池を互いに接続する複数のバスバと、この複数のバスバを介して各電池に接続される複数の電線と、当該複数の電線を配索するための電線配索体と、を有している。この電線を配索する際には、当該電線配索体によって電線の配索経路が規制される。
【先行技術文献】
【特許文献】
【０００４】
【特許文献１】特開２０１１−６７０１２号公報
【発明の概要】
【発明が解決しようとする課題】
【０００５】
近年では、電線の配索経路を確実に規制できるバスバモジュール及び電源装置が求められている。
【０００６】
本発明は、上述した事情に鑑みてなされたものであり、その目的は配索経路の規制における確実性を向上したバスバモジュール及び電源装置を提供することにある。
【課題を解決するための手段】
【０００７】
前述した目的を達成するために、本発明に係るバスバモジュール及び電源装置は、下記の点を特徴としている。
（１）  複数の電池で構成された電池集合体の各電池を互いに電気的に接続する複数のバスバと、
前記複数のバスバを介して前記各電池に電気的に接続される複数の電線と、
前記複数の電線を収容する樋状の電線配索溝部と、前記電線配索溝部に設けられた電線導出部と、を有し、前記電線導出部に沿って前記電線が引き出される電線配索体と、
を備えるバスバモジュールであって、
前記電線導出部は、前記電線配索溝部の底壁に連設された第１片部と、該第１片部の一辺にヒンジを介して回動可能に連設された第２片部と、を有し、
前記第２片部には、前記一辺側の端部に、前記第２片部と交差する方向に延びる係止片が突設され、且つ、該係止片には、該係止片の側方に突出する係止突起が突設されており、
前記第１片部には、前記係止片と前記一辺を挟んで隣接するように係合孔が形成されており、
前記第２片部が前記第１片部に対して第１の向きに回動することにより、前記係止片が前記係合孔に進入して、前記係止突起が前記係合孔の縁部に引っ掛かっており、これにより前記第２片部の前記第１片部に対する前記第１の向きとは逆向きの第２の向きへの回動が規制されている、
こと。
（２）  上記（１）の構成のバスバモジュールであって、
前記係止突起が、前記係止片の長手方向における先端側に突出するように形成されている、
こと。
（３）  上記（１）及び（２）のいずれか１つの構成のバスバモジュールであって、
前記係合孔が、前記係止片を型抜きするための係止片抜き孔である、
こと。
（４）  複数の電池で構成された電池集合体と、前記電池集合体に重ねて取り付けられるとともに前記各電池を互いに電気的に接続するバスバモジュールと、を有する電源装置において、
前記バスバモジュールとして、上記（１）〜（３）のいずれか１つの構成のバスバモジュールを有していること。
【０００８】
ところで、電線配索体に電線を配索する際に、電線配索溝部に配索された電線を底壁から斜めに或いは垂直に引き出して固定することを目的として、当該電線を、電線導出部の第１片部に対して第１の向きに所定の角度まで回動させた状態の第２片部に沿って引き出し、当該所定の角度で傾いた状態の第２片部にタイラップ等の固定部材によって固定する場合がある。このように固定した場合、電線の張力等によって、当該第２片部に、当該第１の向きとは逆向きの第２の向きに回動させようとする力が作用する虞がある。このために、第２片部が第１片部に対して回動自在な状態で当該第２片部に電線が固定されている場合には、第２片部が上記所定の角度から第２の向きに回動してしまい、電線を所望の角度で引き出すことができず、配索経路を確実に規制できない虞があった。
これに対して、上記（１）の構成のバスバモジュールにおける電線配索体では、第２片部が第１片部に対して第１の向きに回動することにより、係止片が係合孔に進入して、係止片の側方に突出した係止突起が係合孔の縁部に引っ掛かっており、これにより、第２片部の第１の向きとは逆向きの第２の向きへの回動が規制されている。このため、上記（１）の構成のバスバモジュールにおける電線配索体では、第２片部が第２の向きに回動し難い。したがって、電線を電線導出部に沿って引き出して第２片部に固定した場合に、電線の張力等により第２片部が第２の向きに回動してしまうことが防止されるので、電線を所望の角度で引き出すことができ易い。このため、上記（１）の構成のバスバモジュールによれば、配索経路の規制における確実性を向上したバスバモジュールを提供できる。
また、上記（１）の構成のバスバモジュールでは、第２片部の第１片部に対する第２の向きへの回動が規制されている状態においては、係止片の少なくとも一部が係合孔に進入して収容されているので、当該係止片が電線の配索の妨げとなり難い。この結果、電線の配索の容易性が向上されている。
上記（２）の構成のバスバモジュールでは、撓み変形し易い係止片の長手方向先端側に係止突起が突出しているので、例えば長手方向中間部において左右方向に突出している場合と比較して、容易に係止片を係合孔に進入させることができる。このため、上記（２）の構成のバスバモジュールによれば、電線の配索の容易性を更に向上したバスバモジュールを提供できる。
上記（３）のバスバモジュールでは、係止片を型抜きするための係止片抜き孔を係合孔として利用しているので、係止片を型抜きするための孔を係合孔以外に別途設ける必要がなく、製造コストを低減できる。
上記（４）の構成の電源装置によれば、上述した理由と同様の理由により、配索経路の規制における確実性を向上した電源装置を提供できる。
【発明の効果】
【０００９】
本発明によれば、電線を配索し易いバスバモジュール及び電源装置を提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本実施形態に係る電源装置を示す斜視図である。
【図２】図２は、図１に示す電源装置が備えるバスバモジュールの平面図である。
【図３】図３は、図２のバスバモジュールの部分拡大図であり、電線導出部を示す図である。
【図４】図４は、図３に示す電線導出部から引き出された電線束が固定部材によって固定された状態を示す平面図である。
【図５】図５は、電線導出部の変形前後の状態を示す図であり、図５（ａ）は変形前の状態を、図５（ｂ）は変形後の回動規制状態を示している。
【図６】図６は、図５（ｂ）における、第１片部に垂直で係止片を通る平面から視た断面図である。
【図７】図７は、比較例として示すバスバモジュールの電線導出部を示す図であり、図７（ａ）は第２片部の回動前の状態を、図７（ｂ）は回動後の状態を示している。
【図８】図８は、図７（ｂ）に示す比較例における電線固定後の状態を説明するための説明図である。
【発明を実施するための形態】
【００１２】
以下、本実施形態に係る電源装置を、図１〜図６を参照して説明する。図１は、本実施形態に係る電源装置を示す斜視図であり、図２は、図１に示す電源装置が備えるバスバモジュールの平面図である。図３は、図２のバスバモジュールの部分拡大図であり、電線導出部を示す図である。図４は、図３に示す電線導出部から引き出された電線束が固定部材によって固定された状態を示す平面図である。尚、説明の便宜上、各図において、矢印Ｘ、矢印Ｙ、及び矢印Ｚを用いて、各部材の配設方向等を示す。これら矢印Ｘ、矢印Ｙ、及び矢印Ｚは互いに直交している。
【００１３】
図１に示す電源装置１０は、電池集合体２と、この電池集合体２に重ねて取り付けられるバスバモジュール１と、を備えている。この電源装置１０は、電動モータを用いて走行する電気自動車や、エンジンと電動モータを併用して走行するハイブリッド自動車等に搭載されて用いられ、前記電動モータに動力を供給するものである。
【００１４】
上記電池集合体２は、一方向（図１の矢印Ｘ方向）に沿って一列に配列され且つ互いに固定された複数の電池２０で構成されている。各電池２０は、直方体状の電池本体２１と、この電池本体２１の１つの面の一端及び他端からそれぞれ突出して設けられた一対の電極２２、２３と、を備えている。一対の電極２２、２３のうち一方の電極２２は正極２２であり、他方の電極２３は負極２３である。一対の電極２２、２３は、それぞれ、導電性の金属により円柱状に形成されている。各電池２０は、電池本体２１における一対の電極２２、２３が設けられた面が同一方向（図１上方）に向けられるとともに隣り合う電池２０の電池本体２１が互いに接するように、且つ、１つの電池２０の正極２２と該１つの電池２０に隣接する他の電池２０の負極２３とが交互に隣り合うように（つまり、矢印Ｘ方向に沿って、正極２２、負極２３、正極２２、負極２３、…、の順で）配列されている。
【００１５】
上記バスバモジュール１は、前述した複数の電池２０を直列に接続する。バスバモジュール１は、図２、図３に示すように、複数のバスバ３と、複数の電圧検出端子４と、複数の電線５と、複数の電線配索体６と、接続端子７と、を備えている。
【００１６】
バスバ３は、電池集合体２の互いに隣り合う電池２０の正極２２と負極２３とに取り付けられることでこれら各電池２０を直列に接続する。バスバ３は、導電性の金属板にプレス加工が施されるなどして得られるものであり、略長方形板状の金属板に、互いに隣り合う電池２０の正極２２及び負極２３が通される一対の孔３ａが設けられている。これら一対の孔３ａは、バスバ３の長手方向に沿って、互いに隣り合う電池２０の正極２２及び負極２３と同じ間隔をあけて配置されている。また、前記バスバ３は、前記孔３ａに通された正極２２及び負極２３にナット（図示なし）が螺合されることで、電池２０に取り付けられるとともに、該正極２２及び該負極２３に電気的に接続される。
【００１７】
電圧検出端子４は、対応するバスバ３に重ねて配置されて、該バスバ３を介して互いに隣り合う電池２０の正極２２及び負極２３に接続される。電圧検出端子４は、導電性の金属板にプレス加工が施されるなどして得られるものであり、バスバ接続部４１と、電線取付部４２と、を備えている。
【００１８】
バスバ接続部４１は、バスバ３に重ねられて該バスバ３と電気的に接続される部位であり、略正方形板状に形成されるとともに、その中央部には、１つの孔４１ａが設けられている。孔４１ａは、バスバ３の一対の孔３ａの一方と重ねられて、電池２０の正極２２又は負極２３が通される。バスバ接続部４１は、バスバ３に重ねられた状態で上記ナットによって電池２０に取り付けられる。
【００１９】
電線取付部４２は、バスバ接続部４１の１つの辺から平行に延設された、略矩形板状片部である。電線取付部４２の先端部分には、後述する電線５の一端５Ａの絶縁被覆で被覆された部分を固定する一対の電線かしめ片４３が設けられている。電線取付部４２の中央部分には、電線５の一端５Ａにおいて露出した芯線を圧着して該芯線と電気的に接続する一対の圧着片４４が設けられている。
【００２０】
電圧検出端子４には、電線取付部４２の一対の電線かしめ片４３及び一対の圧着片４４によって、電線５の一端５Ａが取り付けられる。つまり、電線５は、電圧検出端子４に電気的に接続されており、そして、バスバ３を介して各電池２０の正極２２及び負極２３に接続されている。
【００２１】
また、電圧検出端子４は、当該電圧検出端子４に接続された電線５を介して、図示しないＥＣＵ（Electronic Control Unit）が備える電圧検出回路に接続される。そして、該ＥＣＵが、電圧検出回路によって検出された各電池２０における一対の電極２２、２３との電位差（電圧）に基づいて、各電池２０の残量や充放電状態等を検出する。
【００２２】
電線５は、導電性の芯線と該芯線を被覆した絶縁被覆とを有する周知の被覆電線である。電線５は、その一端５Ａにおいて、絶縁被覆が皮剥きされて芯線が露出している。電線５の一端５Ａは、電圧検出端子４に電気的に接続され、電線５の他端５Ｂは図示しないＥＣＵが備える電圧検出回路等に接続される。
【００２３】
電線配索体６は、例えば、合成樹脂等を用いて互いに一体に成形された、複数のバスバ収容部６０と、複数の電線配索溝部６４と、複数の連結溝部６８と、複数の接続端子収容部７１と、複数の蓋部６７と、を備えている。また、電線配索溝部６４には、電線５を引き出すための電線導出部８１が設けられている。
【００２４】
バスバ収容部６０は、上記バスバ３と略同一形状の略長方形板状の底壁６１と該底壁６１の周縁から垂直に立設された周壁部６２とで構成されており、略器形状に形成されている。底壁６１には、バスバ３の一対の孔３ａと重なる一対の孔（図示なし）が設けられている。この底壁６１の内面（即ち、周壁部６２で囲われる面）には、順次、バスバ３及び電圧検出端子４が重ねられる。つまり、バスバ収容部６０の内側には、バスバ３及び電圧検出端子４が１つずつ収容される。そして、各電池２０の正極２２又は負極２３は、底壁６１の一対の孔及びバスバ３の孔３ａを順次通され、さらに、正極２２又は負極２３のどちらか一方は、電圧検出端子４の孔４ａを通される。また、複数のバスバ収容部６０は、それらの長手方向が前記複数の電池２０の配列方向（矢印Ｘ方向）に沿うようにして一列に並べられており、互いに連結部材６３によって連結されている。
【００２５】
連結部材６３は、断面Ｃ字形状の半円筒形状で且つ弾性変形可能に形成されたヒンジであり、その一対の両縁部が、互いに隣り合うバスバ収容部６０における相対する周壁部６２にそれぞれ連設されている。連結部材６３は、弾性変形することにより、隣接するバスバ収容部６０間の距離を近づけたり離したりして、各電池２０や電線配索体６等の形状誤差を吸収し、これにより、電源装置１０の組立性を向上させることができる。
【００２６】
電線配索溝部６４は、長尺の矩形板状の底壁６５と、該底壁６５の幅方向に相対する両縁部から垂直に立設した一対の側壁６６、６６と、からなる断面略コ字の溝状（樋形状）に形成されており、その内側に複数の電線５を収容する。複数の電線配索溝部６４は、それらの長手方向が矢印Ｘ方向に沿うようにして一列に並べられている。複数のバスバ収容部６０からなる列は、複数のバスバ収容部６０からなる列に対して、矢印Ｘ方向に直交する方向（矢印Ｙ方向）に沿って間隔をあけて、平行に配置されている。電線配索溝部６４の底壁６５には、肉抜き孔６５Ａが矢印Ｘ方向において並んで形成されている。
【００２７】
連結溝部６８は、樋状に形成されており、バスバ収容部６０と電線配索溝部６４とを連通するように矢印Ｙ方向に沿って設けられている。連結溝部６８は、相対するバスバ収容部６０の底壁６１と電線配索溝部６４の底壁６５とを連結する底壁６９と、該底壁６９の相対する一対の縁部から立設され、かつ、互いに向き合うバスバ収容部６０の周壁部６２と電線配索溝部６４の側壁６６とを連結する一対の連結壁部７０と、によって構成されている。連結溝部６８内には、電圧検出端子４の電線取付部４２及び電線５の一端５Ａが配置される。
【００２８】
接続端子収容部７１は、矩形板状の底壁７２と該底壁７２の周縁から垂直に立設された周壁部７３とで構成されており、略器形状に形成されている。接続端子収容部７１の内部には、総電極である、直列に接続された電池２０の両端に位置する電池２０の電極（正極２２又は負極２３）に接続される接続端子（ＬＡ端子：丸型板端子）７が収容される。接続端子収容部７１からは、当該接続端子７に接続されたパワーケーブル（図示せず）が引き出される。尚、図２では、接続端子７は、総電極に接続される２つの接続端子７のうちの一方だけが図示されている。
【００２９】
蓋部６７は、矩形板状に形成されており、電線配索溝部６４の溝開口６４Ａを塞ぐように該電線配索溝部６４に被せられる。蓋部６７は、両縁部（長辺部）のうち一方の縁部の一部がヒンジ６７Ｂを介して回動可能に連設されている。蓋部６７には、肉抜き孔６７Ａが矢印Ｘ方向において並んで形成されている。尚、図１においては、当該肉抜き孔６７Ａの図示は省略して示している。
【００３０】
また、図２、図３に示すように、電線配索溝部６４の長手方向（矢印Ｘ方向）中央付近には、複数の電線５を束ねた電線束５Ｃを引き出すための矩形片状の電線導出部８１が設けられている。通常、電線５は、図１に示すように電線配索溝部６４の端に配置された端開口から引き出されるが、例えば、車両に設けられる電源装置の配設位置等によっては、中央付近に配置された電線導出部８１から引き出すことで、車両内における電線５の配索が容易になる場合等があり、そのため、このような電線導出部８１が設けられる。即ち、本実施形態に係る電線配索体６からは、図４に示すように、電線導出部８１に沿って、電線束５Ｃを図２における紙面手前方向に引き出すことができる。電線束５Ｃは、例えばタイラップである固定部材８２によって電線導出部８１に固定されている。尚、図４においては、電線５の一部を省略して示している。
【００３１】
図５は、電線導出部の変形前後の状態を示す図であり、図５（ａ）は変形前の状態を、図５（ｂ）は変形後の回動規制状態を示している。また、図６は、図５（ｂ）における、第１片部に垂直で係止片を通る平面から視た断面図である。図５に示すように、電線導出部８１は、第１片部８３と、第２片部８７と、を備えている。第１片部８３は、電線配索溝部６４の長手方向（図１〜図３の矢印Ｘ方向）における両端で当該電線配索溝部６４の底壁６５に連設されており、当該長手方向に直交する方向（図１〜図３の矢印Ｙ方向）に延びるように形成されている。第２片部８７は、第１片部８３のバスバ収容部６０とは反対側の一辺８４に、ヒンジ８５を介して回動可能に連設されている。ヒンジ８５は、一部分を薄肉とすることにより形成された薄肉ヒンジであり、これにより、第２片部８７は、図５（ａ）に示す、第１片部８３と同一方向に延びる位置と、第１片部８３に対して略直交した状態となる図５（ｂ）に示す位置との間で回動自在に構成されている。
【００３２】
第２片部８７には、前記一辺８４側の端部の中央付近に、第２片部８７から略垂直に延びる係止片９１が突設されている。係止片９１の背面（バスバ収容部６０側の側面）からは、図６に示すように、係止片９１の先端側に突出する係止突起９３が突設されている。また、第２片部８７には、電線束５Ｃを固定部材８２により固定する際に用いる固定孔８８が形成されている。
【００３３】
第１片部８３には、係止片９１と前記一辺８４を挟んで隣接するように、電線配索体６を成形する際に係止片９１を型抜きするための係止片抜き孔８６（係合孔）が形成されている。係止片抜き孔８６は、内縁が長尺の矩形状を有し、長手方向における長さが係止片９１の長さよりも僅かに長くなるように形成されている。また、係止片抜き孔８６は、図６に示すように、厚みが係止片９１の厚みと略同一となるように形成されている。
【００３４】
図５及び図６を参照して、このような構成を有する電線導出部８１の変形前後の状態の変化について説明する。上述したように、第２片部８７は、第１片部８３に対して回動可能に形成されている。この第２片部８７が、図５（ａ）に示す位置から図５（ｂ）に示す位置まで第１の向きＣ１に回動すると、図５（ｂ）に示すように、係止片９１が係止片抜き孔８６に進入する。これにより、図６に示すように、係止片９１が係止片抜き孔８６の内部に収容されるとともに、係止突起９３が係止片抜き孔８６を通過して当該係止片抜き孔８６の背面側（バスバ収容部６０側）に位置した状態となる。この状態においては、係止突起９３が係止片抜き孔８６の縁部に引っ掛かっており、これにより第２片部８７の第１片部８３に対する第１の向きＣ１とは逆向きの第２の向きＣ２への回動が規制されている。また、本実施形態においては、第２片部８７が、第１片部８３に対して略直交した状態となる図５（ｂ）に示す位置までしか回動しないように、前記ヒンジ８５が形成されている。このため、図５（ｂ）及び図６に示す状態においては、第２片部８７の第１の向きＣ１への回動も規制されている。即ち、図５（ｂ）及び図６に示す状態においては、電線導出部８１は、第２片部８７の第１の向きＣ１及び第２の向きＣ２への回動が規制された回動規制状態となっている。
【００３５】
電線導出部８１から電線束５Ｃを導出する場合には、上記回動規制状態とした後で、電線導出部８１に沿って電線束５Ｃを引き出す。即ち、図４に示したように、電線配索溝部６４に収容されて配索された電線束５Ｃを、第２片部８７に沿うように図４中の紙面手前方向に引き出し、第２片部８７と電線束５Ｃを固定部材８２で固定する。これにより、電線束５Ｃを電線導出部８１から所望の方向に引き出すことができる。
【００３６】
以下では、実施形態に係るバスバモジュール１及び電源装置１０の作用及び効果について説明する。
【００３７】
まず、図７及び図８を参照して、比較例として示すバスバモジュールの電線導出部８１Ｂについて説明する。図７は、比較例として示すバスバモジュールの電線導出部を示す図であり、図７（ａ）は第２片部の回動前の状態を、図７（ｂ）は回動後の状態を示している。図８は、図７に示す比較例における第２片部の状態を説明するための説明図である。図７及び図８に示す比較例に係るバスバモジュールの電線導出部８１Ｂは、係止片９１、係止片抜き孔８６等が形成されていない点以外は上記実施形態に係るバスバモジュール１の電線導出部８１と同一の構成を有するので、同一の部材については同一の符号を付して説明を省略する。
【００３８】
図７及び図８に示すように、比較例に係るバスバモジュールの電線導出部８１Ｂでは、係止片９１、係止片抜き孔８６等を備えていないために、図７（ｂ）に示す状態において、第２片部８７の第１片部８３に対する第２の向きＣ２への回動は規制されていない。
【００３９】
上述した実施形態の場合と同様に、電線配索溝部６４に配索された電線束５Ｃを底壁６５から垂直に引き出し、第１片部８３に対して第１の向きＣ１に略垂直に回動させた状態（図７（ｂ）に示す状態）の第２片部８７に固定部材８２で固定した場合には、電線束５Ｃの張力等によって、当該第２片部８７に、第１の向きＣ１とは逆向きの第２の向きＣ２に回動させようとする力が作用する虞がある。
【００４０】
このような場合に、比較例に係るバスバモジュールでは、第２片部８７の第１片部８３に対する第２の向きＣ２への回動は規制されていないため、第２片部８７及び該第２片部８７に固定された電線束５Ｃが図８に示すように第２の向きＣ２へ回動してしまい、電線束５Ｃを所望の角度で引き出すことができず、配索経路を確実に規制できない虞があった。
【００４１】
これに対して、実施形態に係るバスバモジュール１の電線配索体６では、第２片部８７が第１片部８３に対して第１の向きＣ１に回動することにより、係止片９１が係止片抜き孔８６に進入して、係止片９１の先端側に突出した係止突起９３が係止片抜き孔８６の縁部に引っ掛かっており、これにより、第２片部８７の第１の向きＣ１とは逆向きの第２の向きＣ２への回動が規制されている。このため、実施形態に係るバスバモジュール１では、第２片部８７が第２の向きＣ２に回動し難い。したがって、電線束５Ｃを電線導出部８１に沿って引き出して第２片部８７に固定した場合に、電線束５Ｃの張力等により第２片部８７が第２の向きＣ２に回動してしまうことが防止されるので、電線束５Ｃを所望の角度で引き出すことができ易い。このため、実施形態に係るバスバモジュール１によれば、配索経路の規制における確実性を向上したバスバモジュールを提供できる。また、実施形態に係る電源装置１０によれば、上述した理由と同様の理由により、配索経路の規制における確実性を向上した電源装置を提供できる。
【００４２】
また、実施形態に係るバスバモジュール１の電線配索体６では、第２片部８７の第１片部８３に対する第２の向きＣ２への回動が規制されている状態においては、係止片９１の少なくとも一部が係止片抜き孔８６に進入して収容されているので、当該係止片９１が電線束５Ｃの配索の妨げとなり難い。この結果、電線５の配索の容易性が向上されている。
【００４３】
また、上記実施形態に係るバスバモジュール１の電線配索体６では、撓み変形し易い係止片９１の長手方向先端側に係止突起９３が突出しているので、例えば長手方向中間部において左右方向に突出している場合と比較して、容易に係止片９１を係止片抜き孔８６に進入させることができる。このため、上記実施形態に係るバスバモジュール１によれば、電線５の配索の容易性を更に向上したバスバモジュールを提供できる。
【００４４】
以下では、実施形態に係るバスバモジュール１及び電源装置１０について纏める。
（１）実施形態に係るバスバモジュール１は、複数の電池２０で構成された電池集合体２の各電池２０を互いに接続する複数のバスバ３と、前記複数のバスバ３を介して前記各電池２０に接続される複数の電線５と、電線配索体６と、を備えている。電線配索体６は、前記複数の電線５を収容する樋状の電線配索溝部６４と、前記電線配索溝部６４に設けられた電線導出部８１と、を有し、前記電線導出部８１に沿って前記電線５が引き出される電線配索体である。前記電線導出部８１は、前記電線配索溝部６４の底壁６５に連設された第１片部８３と、該第１片部８３の一辺８４にヒンジ８５を介して回動可能に連設された第２片部８７と、を有している。前記第２片部８７には、前記一辺８４側の端部に、前記第２片部８７と直交する（交差する）方向に延びる係止片９１が突設されている。また、該係止片９１には、該係止片９１の先端側に（側方に）突出する係止突起９３が突設されている。前記第１片部８３には、前記係止片９１と前記一辺８４を挟んで隣接するように係止片抜き孔８６（係合孔）が形成されている。そして、前記第２片部８７が前記第１片部８３に対して第１の向きＣ１に回動することにより、前記係止片９１が前記係止片抜き孔８６に進入して、前記係止突起９３が前記係止片抜き孔８６の縁部に引っ掛かっており、これにより前記第２片部８７の前記第１片部８３に対する前記第１の向きＣ１とは逆向きの第２の向きＣ２への回動が規制されている。
（２）また、実施形態に係るバスバモジュール１は、前記係止突起９３が、前記係止片９１の先端側に突出するように形成されている。
（３）また、実施形態に係るバスバモジュール１では、係合孔が、係止片９１を型抜きするための係止片抜き孔８６である。
（４）実施形態に係る電源装置１０は、複数の電池２０で構成された電池集合体２と、前記電池集合体２に重ねて取り付けられるとともに前記各電池２０を互いに接続する上記バスバモジュール１と、を有する。
【００４５】
尚、本発明の技術的範囲は、上述した実施形態に限定されるものではない。上述した実施形態は、本発明の技術的範囲内で種々の変形や改良等を伴うことができる。
【００４６】
例えば、上記実施形態においては、図４に示したように、電線配索溝部６４に収容されて配索された電線５を、第１片部８３に対して略直交した状態の第２片部８７に沿って、図４中の紙面手前方向に引き出す構成について説明したが、電線の引き出し方向はこれに限られない。例えば、電線５を、第１片部８３に対して所定の角度（例えば、６０度）だけ傾斜した状態の第２片部８７に沿って引き出す構成としても構わない。例えば、この場合には、係止片９１を、第２片部８７から当該所定の角度に対応した角度だけ傾斜するように、即ち第２片部８７と交差するように突設する構成とすればよい。これにより、第２片部８７を第１片部８３に対して当該所定の角度まで回動させた際に、係止片９１が係止片抜き孔８６に進入して係止突起９３が係止片抜き孔８６の縁部に引っ掛かり、第２片部９７が第１片部８３に対して所定の角度だけ傾斜した状態で回動規制状態となる。この結果、回動が規制された第２片部８７に沿って電線５を所定の角度で引き出すことができる。
【００４７】
また、上記実施形態においては、第２片部８７が、第１片部８３に対して略直交した状態となる図５（ｂ）に示す位置までしか回動しないように、ヒンジ８５が形成されている構成としたが、当該位置を超えて回動可能に構成されていても構わない。即ち、図５（ｂ）及び図６に示す状態において、電線導出部８１が、第２片部８７の第２の向きＣ２への回動のみが規制された状態となる構成であっても構わない。このような構成であっても、電線５の張力等により第２片部８７が第２の向きＣ２に回動してしまうことを防止できる。但し、上記実施形態のように、第２片部８７の第１の向きＣ１及び第２の向きＣ２の双方向への回動が規制される構成であれば、例えば第２片部８７を第１の向きＣ１に回動させる外力が電線５に作用した場合であっても、電線５の配索経路を確実に規制できるという効果が得られる。
【００４８】
また、上記実施形態においては、係止突起９３が、係止片９１の先端側に突出する構成としたが、係止片９１の側方（即ち、先端側及び左右側方を含む方向）に突出する構成であればよい。即ち、第２片部８７が第１の向きＣ１に回動し、係止片９１が係止片抜き孔８６に進入した場合に、係止突起９３が係止片抜き孔８６の縁部に引っ掛かっる構成であればよく、例えば、係止突起９３が係止片９１の左右両側方に突出する構成であっても構わない。このような構成とすれば、係止片９１をより強固に係止片抜き孔８６に係止することができる。
【００４９】
また、上記実施形態においては、電線配索体６を成形する際に係止片９１を型抜きするための係止片抜き孔８６を、係止片９１が係止される係合孔として利用する構成としたが、型抜き用の孔とは別個に係止片９１が係止される係合孔を設ける構成としても構わない。
【符号の説明】
【００５０】
１    バスバモジュール
２    電池集合体
３    バスバ
４    電圧検出端子
５    電線
５Ｃ  電線束
６    電線配索体
７    接続端子
１０  電源装置
２０  電池
６０  バスバ収容部
６４  電線配索溝部
６５  底壁
６７  蓋部
６８  連結溝部
７１  接続端子収容部
８１  電線導出部
８２  固定部材
８３  第１片部
８４  一辺
８５  ヒンジ
８６  係止片抜き孔（係合孔）
８７  第２片部
８８  固定孔
９１  係止片
９３  係止突起
【図１】
2014236523.tif 000003
【図２】
2014236523.tif 000004
【図３】
2014236523.tif 000005
【図４】
2014236523.tif 000006
【図５】
2014236523.tif 000007
【図６】
2014236523.tif 000008
【図７】
2014236523.tif 000009
【図８】
2014236523.tif 000010